(57)【要約】【課題】評価対象の磁気ディスクについての所望の記録周波数ｆ１における、あるべきオーバーライト値ＯＷを精度良く推定する。【解決手段】所望の記録周波数を含む周波数帯域における記録周波数としてのＬＦ周波数ｆ１と、このＬＦ周波数ｆ１についてのオーバーライト値ＯＷとの関係を示す記録周波数特性曲線１００を、前記周波数帯域における複数の異なる各ＬＦ周波数ｆ１ごとに測定したオーバーライト値ＯＷ（図中のプロット点）から最小二乗法により統計的に求め、この特性曲線１００に基づいて所望の記録周波数におけるオーバーライト値を推定する。【選択図】        図１
2006294132.tif 000002
【特許請求の範囲】
【請求項１】
磁気記録装置に搭載される磁気ディスク等の磁気記録媒体についてのオーバーライト特性を評価する磁気記録媒体のオーバーライト評価方法であって、
所望の記録周波数を含む周波数帯域における記録周波数と該記録周波数についてのオーバーライト値との関係を示す特性曲線を、前記周波数帯域における複数の異なる各記録周波数ごとに測定したオーバーライト値から統計的に求め、この特性曲線に基づいて所望の記録周波数における、あるべきオーバーライト値を精度良く推定することを特徴とする磁気記録媒体のオーバーライト評価方法。
【請求項２】
請求項１に記載された磁気記録媒体のオーバーライト評価方法において、
前記特性曲線を統計的に求めるための、前記複数の異なる各記録周波数ごとに測定したオーバーライト値として、その複数回の測定値の最頻値を用いることを特徴とする磁気記録媒体のオーバーライト評価方法。
【請求項３】
請求項１または２に記載された磁気記録媒体のオーバーライト評価方法において、
前記磁気記録媒体を記録層の磁化容易軸方向が磁気ディスク面と平行な長手記録媒体とし、前記オーバーライト値をＯＷ、前記記録周波数をｆ１、パラメータをＰおよびＱとしたとき、前記特性曲線が次式（０１）で表されるものとし、
ＯＷ＝Ｐ＋Ｑ・ｌｏｇ（ｆ１）              ・・・（０１）
このパラメータＰおよびＱを前記周波数帯域における複数の異なる各記録周波数ごとに測定したオーバーライト値から統計的に決定するようにしたことを特徴とする磁気記録媒体のオーバーライト評価方法。
【請求項４】
請求項１ないし３のいずれかに記載された磁気記録媒体のオーバーライト評価方法において、
前記複数の異なる各記録周波数ごとに測定したオーバーライト値の前記特性曲線に対するばらつきを、この記録周波数とオーバーライト値との間の相関係数などの統計値によって評価し、この評価値が予め規定された値から外れている場合には、当該の測定したオーバーライト値および求めた特性曲線を無効とすることを特徴とする磁気記録媒体のオーバーライト評価方法。
【発明の詳細な説明】
【技術分野】
【０００１】
本発明は、コンピュータや情報端末の記録装置として用いられている磁気記録装置に搭載される磁気ディスク等の磁気記録媒体の特性評価において、重要な評価項目となっているオーバーライト値を評価する方法としての、磁気記録媒体のオーバーライト評価方法に関する。
なお、以下各図において同一の符号は同一もしくは相当部分を示す。
【背景技術】
【０００２】
コンピュータや情報端末の記憶装置などに広く用いられている磁気記録装置である磁気ディスク装置は、磁気ディスクをスピンドル（スピンドルモータの主軸）に固定すると共に、磁気ヘッドを備えたヘッドスライダをキャリッジに支持し、スピンドルの駆動による磁気ディスクの回転と、キャリッジの駆動による磁気ヘッドの移動によって、ヘッドスライダを磁気ディスクの表面上に浮上させながら磁気ヘッドでこの磁気ディスク面を走査し、磁気ヘッドによって磁気ディスク上の指定されたトラックに磁気データを書き込み（記録し）、また指定されたトラックから磁気データを読み出す（再生する）。
現在、一般に使用される磁気ディスク装置では、磁気ディスクにデータを書き込む方式として、古いデータを消去しないで、新しいデータを上書きするオーバーライト方式を採用している。このため、磁気ディスクの開発段階および量産における試験工程においては、磁気ディスクのオーバーライト特性を定量的に評価することが必要とされている。
【０００３】
磁気ディスクのオーバーライト特性を評価する一般の手法は以下のとおりである。即ち、まず所望の測定対象のトラックおよびその周辺を直流消磁する。次に数ＭＨｚから数１０ＭＨｚの一定周波数（以下、この周波数を記録周波数、又はＬＦ周波数という（なお、ＬＦは低周波の意））を有する信号を測定対象トラックに書き込み、ＬＦ周波数における信号成分（基本波成分）を測定する。
続いて、ＬＦ信号の数倍の周波数（以下、この周波数を上書き周波数、またはＨＦ周波数という（なお、ＨＦは高周波の意））を有する信号を同一トラックに上書きしてＬＦ周波数における信号成分を測定する。この上書き後のＬＦ信号成分は、はじめに書き込んだＬＦ信号の残留分である。
オーバーライト特性を評価するためのオーバーライト値は、上記したオーバーライト（上書き）後に残留するＬＦ周波数の信号成分の、オーバーライト前のＬＦ周波数の信号成分に対する比率として求められる。
【０００４】
さて、磁気ディスク装置の記録容量の増大は、今もなお進んでおり、それに伴って磁気ディスクの径方向の密度（いわゆる線記録密度）も増大しており、磁気ヘッドのライト（書き込み）幅は小さくなる方向である。そのため、磁気ディスクの評価装置における磁気ヘッドの位置決めには、より高い精度が求められる。
さらに、近年、磁気記録装置を搭載する装置として、ポータブル音楽プレーヤー、携帯電話などが想定されるようになってきており、小径化した磁気ディスクの需要が大きくなっている。小径磁気ディスクは、従来の磁気ディスクに比べて厚さが薄く、このため、磁気ディスクの内径孔を評価装置のスピンドルに装着して、磁気ディスクを固定する際に発生する、保持具と磁気ディスクとの片当りや、保持具と磁気ディスクとの間に侵入した異物の存在等に起因するディスクの歪み変形が大きくなり、無視できないものとなる。
【０００５】
こうした磁気ディスクの歪み変形は、磁気ヘッドの磁気ディスク表面からの浮上量を変動させ、また、磁気ヘッドの位置決め精度の低下をもたらし、信号評価に影響する。
オーバーライト値の測定時には、ヘッド浮上量やヘッド位置の変動の影響が特に顕著で、測定値のばらつきが発生しやすい。そのため従来は、測定を複数回行い、得られた測定値の平均値、あるいは、最頻値（つまり、最も出現頻度の高い測定値）を取って対処するのが一般的であった。
なお、特許文献１には被測定磁気ディスクの１個のトラックの全セクタに消去される最小周波数の信号（ＬＦ信号）を記録し、次に重ね書きする最大周波数の信号（ＨＦ信号）を前記トラックの一部のセクタに記録し、重ね書きされていないセクタからのＬＦ信号と重ね書きされているセクタからのＬＦ信号とを同時に再生してその出力の大きさを比較することでオーバーライト特性の測定誤差を少なくする磁気ディスクの試験方法が開示されている。
【０００６】
また、特許文献２には前記した残留ＬＦ信号およびＨＦ信号の読み出し電圧を、それぞれ均一な薄い膜厚と厚い膜厚を有する２枚のマスターディスクに対して行われた、良好な基準磁気ヘッドによる読み出し基準電圧にそれぞれ換算して比較することで客観的に信頼性のある検査データを得ようとするオーバーライト特性の検査方式が開示されている。
【特許文献１】特開平２−１２８３７４号公報
【特許文献２】特開平４−６０９０１号公報
【非特許文献１】Ｈ．Ｎ．Ｂｅｒｔｒａｍ，Ｔｈｅｏｒｙ  ｏｆ  ＭａｇｎｅｔｉｃＲｅｃｏｒｄｉｎｇ，Ｃａｍｂｒｉｄｇｅ  Ｕｎｉｖｅｒｓｉｔｙ  Ｐｒｅｓｓ
【発明の開示】
【発明が解決しようとする課題】
【０００７】
しかしながら、上述した従来のオーバーライト値の測定方法では、望ましくない状態での測定値が多く含まれる可能性が大きく、本来得られるべき値とは異なる値を測定値として採用する可能性があり、測定値の信頼性に欠けるという問題があった。
本発明はこうした問題を解消し、オーバーライト測定値の信頼性をより高めることができる磁気記録媒体のオーバーライト評価方法を提供することを課題とする。
【課題を解決するための手段】
【０００８】
この課題を解決するために請求項１の磁気記録媒体のオーバーライト評価方法は、
磁気記録装置に搭載される磁気ディスク（１）等の磁気記録媒体についてのオーバーライト特性を評価する磁気記録媒体のオーバーライト評価方法であって、
所望の記録周波数を含む周波数帯域における記録周波数と該記録周波数についてのオーバーライト値との関係を示す特性曲線（１００など）を、前記周波数帯域における複数の異なる各記録周波数（ｆ１）ごとに測定したオーバーライト値（ＯＷ）から統計的に求め、この特性曲線に基づいて所望の記録周波数における、あるべきオーバーライト値を精度良く推定するようにする。
また請求項２に記載された磁気記録媒体のオーバーライト評価方法は、請求項１に記載された磁気記録媒体のオーバーライト評価方法において、
前記特性曲線を統計的に求めるための、前記複数の異なる各記録周波数ごとに測定したオーバーライト値として、その複数回の測定値の最頻値を用いるようにする。
【０００９】
また、請求項３に記載された磁気記録媒体のオーバーライト評価方法は、請求項１または２に記載された磁気記録媒体のオーバーライト評価方法において、
前記磁気記録媒体を記録層の磁化容易軸方向が磁気ディスク面と平行な長手記録媒体とし、前記オーバーライト値をＯＷ、前記記録周波数をｆ１、パラメータをＰおよびＱとしたとき、前記特性曲線が次式（０１）で表されるものとし、
ＯＷ＝Ｐ＋Ｑ・ｌｏｇ（ｆ１）              ・・・（０１）
このパラメータＰおよびＱを前記周波数帯域における複数の異なる各記録周波数ごとに測定したオーバーライト値から統計的に決定するようにする。
また請求項４に記載された磁気記録媒体のオーバーライト評価方法は、請求項１ないし３のいずれかに記載された磁気記録媒体のオーバーライト評価方法において、
前記複数の異なる各記録周波数ごとに測定したオーバーライト値の前記特性曲線に対するばらつきを、この記録周波数とオーバーライト値との間の相関係数（Ｒ）などの統計値によって評価し、この評価値が予め規定された値から外れている場合には、当該の測定したオーバーライト値および求めた特性曲線を無効とする。
【００１０】
本発明の作用は以下の如くである。即ち、本発明では、評価対象となる磁気ディスクのオーバーライト特性を評価するにあたり、記録信号の周波数を複数の異なる周波数に設定してこの各設定周波数ごとのオーバーライト値を測定し、この測定データから評価対象磁気ディスクについての記録周波数とオーバーライト値との関係を示す記録周波数特性曲線を統計的に求め、この記録周波数特性曲線に基づいて評価対象磁気ディスクの所望の記録周波数におけるオーバーライト値を精度良く推定するものである。
その際、各々の記録周波数においてオーバーライト値を複数回測定してその測定値の最頻値を求め、この最頻値を用いてオーバーライト値の記録周波数特性曲線を統計的に求めることで周波数特性曲線の精度を高める。
さらに、評価対象磁気ディスクが、その記録層の磁化容易軸方向が磁気ディスク面に平行な長手記録媒体である場合には、理論的に得られるオーバーライト値の記録周波数特性の式をもとにして、測定結果の統計的解析を行うことにより、より信頼性の高い周波数特性曲線を得るようにする。
【００１１】
また、理論的に得られる記録周波数特性に基づいて推定された周波数特性曲線に対する、オーバーライト値の測定値のばらつきを、例えば記録周波数とオーバーライト値との相関係数などの統計値によって評価し、こうして定量的に評価したばらつきの値が、あらかじめ設定した規定値よりも大きくなった場合には測定を中止することにより、誤った測定値を取り込むことを未然に防止する。
【発明の効果】
【００１２】
従来技術では、評価対象となる磁気ディスクについて、所望の記録周波数で複数回、測定したオーバーライト値を統計処理することで、あるべきオーバーライト値を推定する方法を用いている。このような方法の場合、測定値のばらつきの影響を少なくするには測定回数を多くするしか方法がなかった。
さらに、何らかの影響で、測定値が本来の値からずれている場合、統計集団全体が、その影響を受けているため、統計処理でもずれを取り除くことはできない。例えば、使用している磁気ヘッドの書き込み特性が、所望の記録周波数で不足している場合など、その影響を取り除いて評価することは不可能である。
他方、本発明によれば、記録周波数とこの記録周波数についてのオーバーライト値との関係を示す周波数特性曲線を、複数の異なる各記録周波数ごとに測定したオーバーライト値から統計的に求め、この特性曲線に基づいて所望の記録周波数における、あるべきオーバーライト値を推定するようにしたので、上記のような測定値のばらつきやずれの影響をより少なくしてオーバーライト値を評価できる場合が多い。
【００１３】
また、評価対象の磁気ディスクが長手記録媒体の場合、従来のようにオーバーライト値の測定データを統計処理するだけの方法では、統計値のなかで、どの程度のばらつきまで許容するのかに恣意性があったが、本発明では、理論式をもとに統計処理で求めたオーバーライト値の記録周波数特性曲線からのばらつきを相関計数などの統計値で評価するようにしたので、所定の評価値から外れた測定データは恣意性なく無効と判定することで、測定値が何らかの影響で誤った値を示した場合にもそれを察知して棄却することが可能になる。
【発明を実施するための最良の形態】
【００１４】
本実施例においては、記録層の磁化容易軸方向が磁気ディスク面に平行な（つまり水平方向に向いている）長手記録媒体である磁気ディスクを評価対象とするオーバーライト特性の評価方法について述べる。
図４は本実施例の信号評価装置の基本的な構成を示す模式図である。この信号評価装置は、大別してスピンスタンド０１と回路系からなる。スピンスタンド０１には、磁気ディスク１を主軸（スピンドル）に装着し回転させるスピンドルモータ３、先端部に磁気ヘッド２を保持するサスペンション４ａを図外のＶＣＭ（ボイスコイルモータ）によって回転駆動し、磁気ヘッド２を磁気ディスク１上の任意のトラック位置にロードするロータリポジショナ４等からなるヘッド駆動制御部が設けられている。
回路系は、磁気ヘッド２に書き込み電流を送るライトアンプ、書き込みデータを発生する信号発生部、磁気ヘッド２からの読み出し電流を増幅するリードアンプ等からなるＲ／Ｗ（リード／ライト）アンプ部５と、読み出し信号の測定を行う測定部６からなる。
【００１５】
測定部６は、磁気ヘッド２の出力値を測定するオシロスコープや、同じく出力値を周波数分解するスペクトラムアナライザなどから構成する場合もあるし、また、それらの機能を包含した測定装置を用いる場合もある。また、図４の信号評価装置は、磁気ディスク１および磁気ヘッド２の制御や測定結果の解析を行う図外のコンピュータに接続されている。
本実施例における、オーバーライト値の測定手順は以下に示すとおりである。まず、スピンスタンド０１のスピンドルに評価対象の磁気ディスク１を固定し、回転させた後、磁気ヘッド２を磁気ディスク１上にロードし、所望のトラックに移動させ、測定対象トラックおよびその周辺を磁気ヘッド２にて直流消磁する。
次に、数ＭＨｚから数１０ＭＨｚの一定の記録周波数（ＬＦ周波数）ｆ１を有するＬＦ信号を測定対象トラックに書き込み、磁気ヘッド２にてその記録信号を読み出す。そして読み出し信号をスペクトラムアナライザで周波数分解して、その中のＬＦ周波数ｆ１の信号成分（つまり基本波成分）を測定し、その値をＶｌとする。
【００１６】
続いて、ＬＦ周波数ｆ１の複数倍、本例では６倍の上書き周波数ｆ２を有するＨＦ信号を同一トラックに上書きする。そして再び、その読み出し信号を周波数分解して、その中のＬＦ周波数ｆ１の信号成分を測定し、その値をＶ２とする。
オーバーライトの値を一般にＯＷとすると、このオーバーライト値ＯＷは、オーバーライト後に残留するＬＦ周波数ｆ１の信号成分Ｖ２の、オーバーライト前のＬＦ周波数ｆ１の信号成分Ｖｌに対する比率として、次式（１）で算出される。
ＯＷ＝２０Ｌｏｇ（Ｖ２／Ｖ１）〔ｄＢ〕                        ・・・（１）
上記の測定を、所望の記録周波数を含む周波数帯域の、複数の異なる周波数を上記ＬＦ周波数ｆ１に選んで行う。また、各ＬＦ周波数についての測定は複数回行うことにより、評価の信頼性を高める。本実施例では、各ＬＦ周波数について、５回ずつ測定を行っている。
【００１７】
図１は横軸にＬＦ周波数ｆ１を、縦軸にオーバーライト値ＯＷ〔ｄＢ〕をそれぞれとり、各ＬＦ周波数ｆ１ごとのオーバーライト値ＯＷの測定結果をプロットした特性図の一実施例を示す。
次に、本測定結果から、評価対象磁気ディスクについてのオーバーライト値の記録周波数特性曲線を推定する方法を述べる。
図２は、長手記録媒体の磁気ディスク１の磁気ヘッド２に対向する部分の断面内における書き込み前後の磁化分布を模式的に描いた図で、磁気ディスク断面内の水平方向の矢印は一般にその方向を含む磁化を示している。ここで図２（ａ）は直流磁化状態の磁化１１としての、以下に述べる書き換え前の原磁化１１ａを示し、本例ではこの原磁化１１ａの方向は磁気ヘッド２の書込み方向Ｗと逆の方向を向いているものとする。なお、この書込み方向Ｗは回転している磁気ディスク１に対して磁気ヘッド２が相対的に移動する方向としている。
【００１８】
図２（ｂ）は、図２（ａ）の直流磁化状態の磁気ディスク１に対し、磁気ヘッド２により直流磁化である原磁化１１ａと逆方向の磁界を与えて上書き磁化しようとしている状態で、１１（１１ｂ）はこのようにして磁気ディスク１内に生ずる逆方向磁化を示す。
なお、βはギャップｇを隔ててトラック方向に並ぶ磁気ヘッド２の対の磁極２ａ、２ｂによって磁気ディスク１に加わる印加磁界が反転したビット反転位置であり、μはこのとき磁気ディスク１内の磁化が反転する磁化遷移点である。
また、図２（ｃ）は、図２（ａ）の直流磁化状態の磁気ディスク１に対し、磁気ヘッド２により原磁化１１ａと同方向の磁界を与えて上書き磁化しようとしている状態で、１１（１１ｃ）はこのようにして磁気ディスク１内に生ずる同方向磁化を示す。なお、μは磁化遷移点である。
【００１９】
この図２に示すように、長手記録媒体において、図２（ａ）の信号書き込み前の磁化１１ａに対し、図２（ｂ）のように書き込まれる信号の磁化の方向が逆方向である場合、磁化遷移点μの位置は、磁気ヘッド２から発生する磁界に基づくビット反転位置βから時間間隔Δ分、ずれた（遅れた）位置になるが、図２（ｃ）のように記録信号の磁化方向が信号書き込み前の磁化１１ａと同じ方向である場合は、このずれΔは発生しない。
即ち、一般に磁化遷移するとき、つまり磁化遷移点μの書込み方向Ｗ側（本例では左側）の磁化を書込むとき、この左側の書込磁化が上書き前の磁化と反対であれば書き込みにくいので、遷移点μがΔだけ、書込み方向の左側にシフトする（遅れる）が、左側の書込磁化が上書き前の磁化と同方向であればシフトしない。
このため、図３（ａ）のように一方向に直流消磁された状態の磁気ディスク１に、周波数ｆ１のＬＦ信号を書き込んだときの磁化状態は図３（ｂ）のようになり、このときの再生信号出力Ｖ１（ｆ）は次式（２）で表される（非特許文献１参照）。
【００２０】
Ｖ１（ｆ）＝Ｖ（ｆ）［ｅｘｐ（ｉπｆΔ／２）−ｅｘｐ（ｉπｆ／ｆ１）］
・・・（２）
なお、ｆは変数としての周波数、Ｖ（ｆ）は磁化遷移点での孤立波をフーリエ変換したものである（ただし、非特許文献１で区別されている、磁化方向による波形の違いは無視する）。
次に、周波数ｆ２＝６＊ｆ１のＨＦ信号を、図３（ｂ）の状態の磁気ディスク１にオーバーライトした時の磁化分布を考察する。この場合、上述のように磁化遷移点μの書込み方向Ｗ側（本例では左側）のＨＦ信号ｆ２の磁化方向が、上書きされる図３（ｂ）のＬＦ信号の磁化と同方向であれば、磁化遷移点のずれΔは発生しないが、逆方向であれば、ずれΔが発生する。そこで、ＨＦ信号を上書きした際の磁化パターンは、図３（ｃ）の実施例に示すようになる。これから、ＨＦ信号を上書きした後の信号出力は次式（３）で表される。
【００２１】
Ｖ２（ｆ）＝Ｖ（ｆ）［ｅｘｐ（ｉπｆΔ／２）−ｅｘｐ（ｉπｆ／ｆ２）
＋ｅｘｐ（ｉπｆ（２／ｆ２＋Δ／２））−ｅｘｐ（３ｉπｆ／ｆ２）
＋ｅｘｐ（ｉπｆ（４／ｆ２＋Δ／２））−ｅｘｐ（５ｉπｆ／ｆ２）
＋ｅｘｐ（６ｉπｆ／ｆ２）  −ｅｘｐ（ｉπｆ（７／ｆ２＋Δ／２））
＋ｅｘｐ（８ｉπｆ／ｆ２）  −ｅｘｐ（ｉπｆ（９／ｆ２＋Δ／２））
＋ｅｘｐ（１０ｉπｆ／ｆ２）−ｅｘｐ（ｉπｆ（１１／ｆ２＋Δ／２））］
・・・（３）
この式（３）の括弧［  ］内における１２個の指数関数の各項が、順次、図３（ｃ）中の磁化遷移点μ１〜μ１２に対応している。
従って、オーバーライト値ＯＷは、次式（４）で表される。
【００２２】
ＯＷ＝２０ｌｏｇ（Ｖ２（ｆ１）／Ｖ１（ｆ１））
＝２０ｌｏｇ１０（（３πΔ／２）（√３）ｆ１）            ・・・（４）
なお、この式（４）は、より一般的に次式（０１）に書換えられる。
ＯＷ＝Ｐ＋Ｑ・ｌｏｇ（ｆ１）                                ・・・（０１）
ここで、ＰおよびＱは磁気ディスクの性質やＨＦ周波数ｆ２によって定まる定数（パラメータ）である。
よって式（４）や（０１）から、オーバーライト値ＯＷはＬＦ記録周波数ｆ１に対して対数的に変化することがわかる。この知見に基づいて、オーバーライト測定結果から、本実施例で評価した磁気ディスクのオーバーライト値の記録周波数特性曲線、つまり、ＬＦ記録周波数ｆ１とこの記録周波数ｆ１について得られるべきオーバーライト値との関係を示す特性曲線を、最小二乗法によって推定したのが、図１中の実線の曲線（オーバーライト値の記録周波数特性曲線）１００である。あとは、この特性曲線１００から、所望の記録周波数ｆ１における、あるべきオーバーライト値を推定することができる。
【００２３】
なお、上述の解析を行う際に、オーバーライト値の測定を行った段階で、測定値の最頻値をとる方法を併用し、この最頻値を用いて解析を行うようにすれば、さらに精度は高まる。
また、上述の解析で、最小二乗法によって特性曲線を求める際に、記録周波数ｆ１とオーバーライト値ＯＷとの間の相関関係数Ｒも求めておく。そして、相関係数Ｒの二乗が、たとえば０．９以下になった場合は、測定結果のばらつきが異常に大きいか、もしくは、何らかの要因にて測定に問題が起こったとみなし、測定を中止する。本実施例では相関係数Ｒの二乗が０．９４４６になり、測定は信頼できると認定した。
【図面の簡単な説明】
【００２４】
【図１】本発明の一実施例としての評価対象磁気ディスクについての複数のＬＦ記録周波数ごとのオーバーライト値の測定結果と、この測定結果から理論式に基づいて統計的に推定したオーバーライト値の記録周波数特性曲線を示す図
【図２】直流消磁状態の長手記録媒体の磁気ディスクに対する書き込み信号の磁化方向による磁化遷移点のシフトの相違を説明する模式図
【図３】直流消磁状態の長手記録媒体の磁気ディスクにＬＦ信号を書き込んだのち、ＬＦ信号の６倍の周波数のＨＦ信号を上書きする際に生ずる磁化遷移のパターン列を示す模式図
【図４】磁気ディスクの信号評価装置の構成例を示す模式図
【符号の説明】
【００２５】
０１                  スピンスタンド
１                    磁気ディスク
２                    磁気ヘッド
１１                  磁化
１００                オーバーライト値の記録周波数特性曲線
Ｒ                    相関係数
μ（μ１〜μ１２）    磁化遷移点
β                    ビット反転位置
Δ                    磁化遷移点のシフト量
ｆ１                  ＬＦ周波数（記録周波数）
ｆ２                  ＨＦ周波数（上書き周波数）
Ｗ                    磁気ディスクに対する磁気ヘッドの書込方向
【図１】
2006294132.tif 000003
【図２】
2006294132.tif 000004
【図３】
2006294132.tif 000005
【図４】
2006294132.tif 000006